(57)【要約】  送信機は、車両に設けられた複数の車輪のそれぞれに装着される。送信機は、トリガ信号に含まれる指令に応じた処理を行う。送信機は、タイヤの圧力を検出するように構成された圧力センサと、圧力センサの検出結果を含むデータ信号を受信機に送信するように構成された送信部と、トリガ信号を受信するように構成されたトリガ受信部と、送信機を制御するように構成された制御部とを備える。制御部は、送信機の状態を待受状態へ遷移させる指令を含んだトリガ信号がトリガ受信部によって受信された場合、送信機の状態を待受状態に遷移させる。制御部は、送信機の状態が待受状態のときにモードを指定する指令を含んだトリガ信号がトリガ受信部によって受信された場合、指定されたモードを設定する。
2019106828.tif 000002
【特許請求の範囲】
【請求項１】
車両に設けられた複数の車輪のそれぞれに装着され、かつトリガ信号に含まれる指令に応じた処理を行う送信機であって、
前記送信機は、
タイヤの圧力を検出するように構成された圧力センサと、
前記圧力センサの検出結果を含むデータ信号を受信機に送信するように構成された送信部と、
前記トリガ信号を受信するように構成されたトリガ受信部と、
前記送信機を制御するように構成された制御部とを備え、
前記制御部は、
前記送信機の状態を待受状態へ遷移させる指令を含んだ前記トリガ信号が前記トリガ受信部によって受信された場合、前記送信機の状態を待受状態に遷移させ、
前記送信機の状態が待受状態のときにモードを指定する指令を含んだ前記トリガ信号が前記トリガ受信部によって受信された場合、指定された前記モードを設定するように構成されている、送信機。
【請求項２】
前記送信機は、複数の機種の中からいずれの機種として機能するかを選択可能に構成されており、
前記モードは、前記機種を含む、請求項１に記載の送信機。
【請求項３】
車両に設けられた複数の車輪のそれぞれに装着され、かつトリガ信号に含まれる指令に応じた処理を行う送信機に対して、前記トリガ信号を送信するように構成されたトリガ機であって、
前記トリガ機は、
前記トリガ信号を送信するように構成されたトリガ機用送信部と、
前記トリガ機の制御を行うように構成されたトリガ機用制御部とを備え、
前記トリガ機用制御部は、
前記送信機の状態をモードの設定が可能な状態である待受状態に遷移させる指令を含んだ前記トリガ信号と、
前記送信機のモードを指定する指令を含んだ前記トリガ信号と、を前記トリガ機用送信部から送信させることが可能である、トリガ機。
【請求項４】
前記送信機は、複数の機種の中からいずれの機種として機能するかを選択可能に構成されており、
前記トリガ機用制御部は、
前記機種が入力されると、前記送信機の状態を前記待受状態にさせる指令を含んだ前記トリガ信号と、
前記モードとして前記機種を指定する指令を含んだ前記トリガ信号とを前記トリガ機用送信部から順番に送信させるように構成されている、請求項３に記載のトリガ機。
【請求項５】
車両に設けられた複数の車輪のそれぞれに装着された送信機と、指令を含んだトリガ信号を前記送信機に送信するトリガ機とを備え、前記トリガ機によって前記送信機のモードが設定される送信機のモード設定システムであって、
前記トリガ機は、
前記トリガ信号を送信するように構成されたトリガ機用送信部と、
前記トリガ機の制御を行うように構成されたトリガ機用制御部とを備え、
前記トリガ機用制御部は、
前記送信機の状態を前記モードの設定が可能な状態である待受状態に遷移させる指令を含んだ前記トリガ信号と、
前記送信機の前記モードを指定する指令を含んだ前記トリガ信号とを前記トリガ機用送信部から送信させることが可能であり、
前記送信機は、
タイヤの圧力を検出するように構成された圧力センサと、
前記圧力センサの検出結果を含むデータ信号を受信機に送信するように構成された送信部と、
前記トリガ信号を受信するように構成されたトリガ受信部と、
前記送信機を制御するように構成された制御部とを備え、
前記制御部は、
前記送信機の状態を前記待受状態へ遷移させる指令を含んだ前記トリガ信号が前記トリガ受信部によって受信された場合、前記送信機の状態を待受状態に遷移させ、
前記送信機の状態が待受状態のときに前記モードを指定する指令を含んだ前記トリガ信号が前記トリガ受信部によって受信された場合、指定された前記モードを設定するように構成された、送信機のモード設定システム。
【請求項６】
トリガ機によって送信機のモードを設定する送信機のモード設定方法であって、
前記送信機の状態を、前記モードの設定が可能な状態である待受状態に遷移させる指令を含んだトリガ信号を前記トリガ機から送信し、
前記送信機の状態を前記待受状態に遷移させた後に、前記モードを指定する指令を含んだトリガ信号を前記トリガ機から送信することで前記送信機のモードを設定する、送信機のモード設定方法。
【発明の詳細な説明】
【技術分野】
【０００１】
本発明は、送信機、トリガ機、送信機のモード設定システム、及び送信機のモード設定方法に関する。
【背景技術】
【０００２】
複数の車輪を備える車両に設けられたタイヤ状態監視装置が、例えば、特許文献１に記載されている。特許文献１に記載のタイヤ状態監視装置は、車輪に装着された送信機と、受信機とを備える。【０００３】
送信機は、タイヤの圧力を検出する圧力センサと、送信部と、送信機を制御する制御部とを備える。送信部は、圧力センサによって検出された検出結果を含んだデータ信号を送信する。送信部からは、例えば、所定間隔毎にデータ信号が送信される。【０００４】
また、送信機は、トリガ機から送信されるトリガ信号を受信可能であるトリガ受信部を備える。トリガ信号は、送信機に外部から指令を与えるときに、トリガ機から送信される。トリガ信号は、例えば、任意のタイミングでデータ信号を送信させたい場合や、送信機のモードを変更したい場合などに送信される。トリガ受信部によってトリガ信号が受信されると、制御部は、指令に応じた制御を行う。
【先行技術文献】
【特許文献】
【０００５】
【特許文献１】特開２０１４−９１３４４号公報
【発明の概要】
【発明が解決しようとする課題】
【０００６】
送信機は、車両の移動とともに移動する。このため、送信機の周辺環境は、車両の移動とともに変化する。周辺環境によっては、トリガ信号の周波数帯と同一、あるいはトリガ信号の周波数帯に近似した周波数帯の外部ノイズ（電波）が送信されている場合がある。トリガ受信部によって外部ノイズが受信されると、外部ノイズによって送信機が意図しないモードに設定されるおそれがある。【０００７】
本発明の目的は、送信機が意図しないモードに設定されることを抑制できる送信機、トリガ機、送信機のモード設定システム、及び送信機のモード設定方法を提供することにある。
【課題を解決するための手段】
【０００８】
上記課題を解決するため、本発明の第一の態様によれば、車両に設けられた複数の車輪のそれぞれに装着され、かつトリガ信号に含まれる指令に応じた処理を行う送信機が提供される。送信機は、タイヤの圧力を検出するように構成された圧力センサと、圧力センサの検出結果を含むデータ信号を受信機に送信するように構成された送信部と、トリガ信号を受信するように構成されたトリガ受信部と、送信機を制御するように構成された制御部とを備える。制御部は、送信機の状態を待受状態へ遷移させる指令を含んだトリガ信号がトリガ受信部によって受信された場合、送信機の状態を待受状態に遷移させ、送信機の状態が待受状態のときにモードを指定する指令を含んだトリガ信号がトリガ受信部によって受信された場合、指定されたモードを設定するように構成されている。【０００９】
これによれば、送信機の状態が待受状態のときに、モードを指定する指令を含んだトリガ信号をトリガ受信機が受信した場合、制御部は、指定されたモードを設定する。モードを設定するためには、送信機の状態を待受状態に遷移させる必要がある。トリガ機を用いてモードを設定する場合、待受状態への遷移とモードの設定との２段階の工程を経る必要がある。偶発的に制御部が外部ノイズをトリガ信号だと誤認した場合であっても、１回の誤認であれば、送信機の状態が待受状態に遷移するだけであり、モードは設定されない。したがって、外部ノイズにより意図しないモードが設定されることが抑制される。【００１０】
上記送信機について、送信機は、複数の機種の中からいずれの機種として機能するかを選択可能に構成されており、モードは、機種を含んでいてもよい。
これによれば、外部ノイズによって意図しない機種が設定されることが抑制される。【００１１】
上記課題を解決するため、本発明の第二の態様によれば、車両に設けられた複数の車輪のそれぞれに装着され、かつトリガ信号に含まれる指令に応じた処理を行う送信機に対して、トリガ信号を送信するように構成されたトリガ機が提供される。トリガ機は、トリガ信号を送信するように構成されたトリガ機用送信部と、トリガ機の制御を行うように構成されたトリガ機用制御部とを備える。トリガ機用制御部は、送信機の状態をモードの設定が可能な状態である待受状態に遷移させる指令を含んだトリガ信号と、送信機のモードを指定する指令を含んだトリガ信号とをトリガ機用送信部から送信させることが可能である。【００１２】
これによれば、トリガ機を用いて、送信機の状態を待受状態に遷移させることができる。送信機の状態を待受状態に遷移させた後に、トリガ機を用いてモードを指定することで、送信機は指定されたモードに設定される。したがって、待受状態への遷移とモードの指定との２段階の工程を経てモードが設定される送信機であっても、トリガ機を用いることでモードの設定を行うことができる。したがって、車輪に装着される送信機として、待受状態への遷移とモードの指定との２段階の工程を経てモードが設定される送信機を用いることができる。上記したように、この送信機を用いることで、外部ノイズにより意図しないモードが設定されることが抑制される。【００１３】
上記トリガ機について、送信機は、複数の機種の中からいずれの機種として機能するかを選択可能に構成されており、トリガ機用制御部は、機種が入力されると、送信機の状態を待受状態にさせる指令を含んだトリガ信号と、モードとして機種を指定する指令を含んだトリガ信号とをトリガ機用送信部から順番に送信させるように構成されていてもよい。【００１４】
これによれば、機種が入力されることで、送信機の状態を待受状態に遷移させるトリガ信号と、機種を指定するトリガ信号とが順番に送信される。このため、トリガ機の操作者は、機種を入力することで、送信機の機種を設定することができる。送信機の状態を待受状態に遷移させるトリガ信号を送信させる操作と、モードを指定するトリガ信号を送信させる操作とを別々に行う場合に比べ、トリガ機の操作者の手間が軽減される。【００１５】
上記課題を解決するため、本発明の第三の態様によれば、車両に設けられた複数の車輪のそれぞれに装着された送信機と、指令を含んだトリガ信号を送信機に送信するトリガ機とを備え、トリガ機によって送信機のモードが設定される送信機のモード設定システムが提供される。トリガ機は、トリガ信号を送信するように構成されたトリガ機用送信部と、トリガ機の制御を行うように構成されたトリガ機用制御部とを備える。トリガ機用制御部は、送信機の状態をモードの設定が可能な状態である待受状態に遷移させる指令を含んだトリガ信号と、送信機のモードを指定する指令を含んだトリガ信号とをトリガ機用送信部から送信させることが可能である。送信機は、タイヤの圧力を検出するように構成された圧力センサと、圧力センサの検出結果を含むデータ信号を受信機に送信するように構成された送信部と、トリガ信号を受信するように構成されたトリガ受信部と、送信機を制御するように構成された制御部とを備える。制御部は、送信機の状態を待受状態へ遷移させる指令を含んだトリガ信号がトリガ受信部によって受信された場合、送信機の状態を待受状態に遷移させ、送信機の状態が待受状態のときにモードを指定する指令を含んだトリガ信号がトリガ受信部によって受信された場合、指定されたモードを設定する。【００１６】
これによれば、車輪に装着される送信機として、待受状態への遷移とモードの指定の２段階の工程を経てモードが設定される送信機を用いることができる。したがって、外部ノイズにより意図しないモードが設定されることが抑制される。【００１７】
上記課題を解決するため、本発明の第四の態様によれば、トリガ機によって送信機のモードを設定する送信機のモード設定方法であって、送信機の状態を、モードの設定が可能な状態である待受状態に遷移させる指令を含んだトリガ信号をトリガ機から送信し、送信機の状態を待受状態に遷移させた後に、モードを指定する指令を含んだトリガ信号をトリガ機から送信することで送信機のモードを設定する。【００１８】
これによれば、トリガ機を用いて、送信機の状態を待受状態に遷移させることができる。したがって、車輪に装着される送信機として、待受状態への遷移とモードの設定の２段階の工程を経てモードが設定される送信機を用いることができる。この送信機を用いることで、外部ノイズにより意図しないモードが設定されることが抑制される。
【発明の効果】
【００１９】
本発明によれば、送信機が意図しないモードに設定されることを抑制できる。
【図面の簡単な説明】
【００２０】
【図１】タイヤ状態監視装置、及びトリガ機の概略図。
【図２】送信機、及びトリガ機の概略構成図。
【図３】車種と機種との関係を示す模式図。
【図４】操作者、トリガ機、及び送信機の相互作用図。
【発明を実施するための形態】
【００２１】
以下、送信機、トリガ機、送信機のモード設定システム、及び送信機のモード設定方法の一実施形態について説明する。
図１に示すように、タイヤ状態監視装置２０は、車両１０の４つの車輪１１にそれぞれ装着される送信機２１と、車両１０に設置される受信機４０とを備える。各車輪１１は、ホイール１２と、ホイール１２に装着されたタイヤ１３とを備える。送信機２１としては、タイヤバルブに固定された送信機や、ホイール１２やタイヤ１３に固定された送信機が用いられる。
【００２２】
送信機２１は、タイヤ１３の内部空間に配置されるように、車輪１１に取り付けられている。送信機２１は、対応するタイヤ１３の状態、例えば、タイヤ１３の空気圧やタイヤ１３内の温度を検出して、検出結果を含むデータ信号を受信機４０に無線送信する。タイヤ状態監視装置２０は、送信機２１から送信されるデータ信号を受信機４０で受信して、タイヤ１３の状態を監視する。
【００２３】
図２に示すように、送信機２１は、圧力センサ２２、温度センサ２３、送信機用制御部２５、送信回路２６、送信アンテナ２８、受信アンテナ２９、バッテリ３０、及びトリガ受信部３１を備える。バッテリ３０は、送信機２１の電力源となる。
【００２４】
圧力センサ２２は、対応するタイヤ１３の圧力（空気圧）を検出する。圧力センサ２２は、検出結果を送信機用制御部２５に出力する。温度センサ２３は、対応するタイヤ１３内の温度を検出する。温度センサ２３は、検出結果を送信機用制御部２５に出力する。
【００２５】
制御部としての送信機用制御部２５は、ＣＰＵ２５ａ及び記憶部２５ｂ（ＲＡＭやＲＯＭ等）を含むマイクロコンピュータ等よりなる。記憶部２５ｂには、各送信機２１の固有の識別情報であるＩＤコードが登録されている。また、記憶部２５ｂには、送信機２１を制御するための種々のプログラムが記憶されている。
【００２６】
送信機用制御部２５は、各種処理のうち少なくとも一部の処理を実行する専用のハードウェア（特定用途向け集積回路：ＡＳＩＣ）を備えてもよい。すなわち、送信機用制御部２５は、１）コンピュータプログラム（ソフトウェア）に従って動作する１つ以上のプロセッサ、２）ＡＳＩＣ等の１つ以上の専用のハードウェア回路、或いは３）それらの組み合わせを含む回路（circuitry）として構成し得る。プロセッサは、ＣＰＵ、並びに、ＲＡＭ及びＲＯＭ等のメモリを含む。メモリは、処理をＣＰＵに実行させるように構成されたプログラムコードまたは指令を格納している。メモリすなわちコンピュータ可読媒体は、汎用または専用のコンピュータでアクセスできるあらゆる利用可能な媒体を含む。
【００２７】
送信機用制御部２５は、データを生成し、送信回路２６に出力する。送信部としての送信回路２６は、送信機用制御部２５からのデータを変調して信号（ＲＦ信号）を生成し、送信アンテナ２８から送信する。例えば、送信機用制御部２５は、圧力センサ２２の検出結果及び温度センサ２３の検出結果であるタイヤ状態（タイヤ空気圧やタイヤ内温度）やＩＤコードを含むデータを生成し、このデータを含む信号であるデータ信号を送信する。
【００２８】
トリガ受信部３１は、トリガ機５０から送信されるトリガ信号を受信する。トリガ受信部３１は、受信アンテナ２９に到来した信号のうち特定の周波数帯の信号のみを通過させるフィルタや、信号を増幅させる増幅回路などを含む。
【００２９】
トリガ信号は、ＬＦ帯（長波帯）の信号である。トリガ機５０とは、送信機２１に対する指令を含んだトリガ信号を送信することで、送信機２１に種々の動作を行わせる装置である。送信機用制御部２５は、トリガ受信部３１によって受信されたトリガ信号に含まれる指令に応じた処理を行う。
【００３０】
送信機２１は、複数のモードで動作することが可能である。モードには、データ信号の送信を行わないスリープモードや、データ信号を短い間隔で送信させる緊急モードなど送信機２１の送信態様に関するモードが含まれる。更に、モードには、送信機２１の機種が含まれる。本実施形態の送信機２１は、複数の機種の中からいずれの機種として機能するかを選択可能に構成されている。機種毎に、送信機２１の動作態様は異なる。このため、機種毎に、モードも異なるといえる。
【００３１】
記憶部２５ｂには、送信機２１を複数の機種として機能させるための機種情報が記憶されている。機種とは、車種に対応付けられた送信機２１の種類であり、１つの機種毎に複数の車種が対応している。
【００３２】
例えば、図３に示すように、機種Ａは車種Ａ，Ｂ，Ｃに対応しており、機種Ｂは車種Ｄ，Ｅ，Ｆに対応している。１つの機種に対する車種の数は、機種によって異なる。なお、「車種」は、車名が同一の場合であっても、年式が異なる場合に異なる車種として取り扱う。
【００３３】
受信機４０のプロトコルは、車種によって異なっている。車種によって、プロトコルで規定されたフレームフォーマットも異なることになる。受信機４０のプロトコルに対応したデータ信号でなければ、データ信号を受信機４０に受信させることができない。図３に示す例でいえば、機種Ａとして機能する送信機２１は、車種Ａ，Ｂ，Ｃの受信機４０にデータ信号を受信させることができる一方で、他の車種の受信機４０にデータ信号を受信させることはできない。機種情報とは、受信機４０と通信可能な規格の情報であるといえる。また、機種によって、データ信号の送信間隔、圧力データや、温度データの分解能などが異なる。
【００３４】
本実施形態の送信機２１は、記憶部２５ｂに複数の機種の機種情報が記憶され、かつ複数の機種の中から１つの機種を選択可能に構成されている。送信機２１は、選択された機種として機能する。これにより、１つの機種としてしか機能しない送信機に比べて、多くの車種に対応することが可能となる。
【００３５】
なお、複数の機種の中から１つの機種として送信機２１を機能させるため、機種毎の個別のプログラムを記憶部２５ｂに格納し、選択された機種に対応したプログラムで送信機２１を動作させている。また、機種情報として単一のプログラムを記憶部２５ｂに格納し、外部から処理手順を変更することで、選択された機種として送信機２１を機能させてもよい。即ち、複数の機種の中から１つの機種を選択し、当該機種として送信機２１を機能させることができれば、どのような態様で制御が行われてもよい。
【００３６】
送信機用制御部２５は、送信機２１の状態を待受状態に遷移させることができるように構成されている。待受状態とは、送信機２１の機種を設定できる状態である。送信機２１の状態が待受状態とは異なる禁止状態の場合、送信機２１の機種を設定することができない。
【００３７】
図１に示すように、受信機４０は、受信機用制御部４１と、受信機用受信回路４２と、受信アンテナ４３とを備える。受信機用制御部４１には、警報器４４が接続されている。受信機用制御部４１は、受信機用ＣＰＵ４１ａ及び受信機用記憶部４１ｂ（ＲＯＭやＲＡＭ等）を含むマイクロコンピュータ等よりなる。受信機用受信回路４２は、各送信機２１から受信アンテナ４３を介して受信されたデータ信号を復調して、受信機用制御部４１に出力する。
【００３８】
受信機用記憶部４１ｂには、各車輪１１に装着された送信機２１のＩＤコードが記憶されている。これにより、送信機２１と受信機４０とが対応付けられている。受信機用制御部４１は、受信機用受信回路４２によって受信されたデータ信号に含まれるＩＤコードと、受信機用記憶部４１ｂに記憶されたＩＤコードとを照合する。照合の結果、データ信号に含まれるＩＤコードと登録されたＩＤコードとが一致すると、受信機用制御部４１は、データ信号に含まれるデータを採用する。受信機用制御部４１は、受信機４０に対応付けられた送信機２１より送信されたデータ信号に含まれるデータから、タイヤ１３の状態を把握する。受信機用制御部４１は、タイヤ１３に異常が生じている場合、警報器（報知器）４４にて報知を行う。警報器４４としては、例えば、異常を光の点灯や点滅によって報知する装置や、異常を音によって報知する装置が用いられる。また、受信機用制御部４１は、車両１０の搭乗者が視認可能な表示器に、タイヤ１３の状態を表示してもよい。
【００３９】
前述したように、送信機２１は、複数の機種の中からいずれかの機種として機能する。機種の設定は、トリガ機５０によって行われる。各送信機２１、及びトリガ機５０は、送信機のモード設定システムＳとして機能する。以下、トリガ機５０について詳細に説明を行う。
【００４０】
図１及び図２に示すように、トリガ機５０は、複数の操作部５１、トリガ機用送信回路５２、トリガ機用受信回路５３、表示部５４、トリガ機用制御部５５、トリガ機用送信アンテナ５６、及びトリガ機用受信アンテナ５７を備える。各操作部５１は、トリガ機５０の操作者に操作される。操作部５１は、表示部５４に表示される選択肢（メニュー）からいずれかを選択する選択部と、選択肢の決定を行う決定部とを含む。操作者は、操作部５１を操作することで、種々の動作をトリガ機５０に行わせることができる。
【００４１】
操作部５１は、トリガ機用制御部５５に接続されている。トリガ機用制御部５５は、ＣＰＵ５５ａ及び記憶部５５ｂ（ＲＡＭやＲＯＭ等）を含むマイクロコンピュータ等よりなる。記憶部５５ｂには、送信機２１に行わせる動作に応じた指令（コマンド＝データ列）が記憶されている。記憶部５５ｂに記憶される指令には、送信機２１の状態を待受状態に遷移させる指令と、送信機２１の機種を指定する指令とが含まれる。送信機２１の状態を待受状態に遷移させる指令は、送信機２１の機種や車種毎に異なっていてもよいし、送信機２１の機種や車種に関わらず同一であってもよい。送信機２１の機種を指定する指令は、機種毎に異なる。
【００４２】
トリガ機用制御部５５は、各種処理のうち少なくとも一部の処理を実行する専用のハードウェア（特定用途向け集積回路：ＡＳＩＣ）を備えてもよい。即ち、トリガ機用制御部５５は、１）コンピュータプログラム（ソフトウェア）に従って動作する１つ以上のプロセッサ、２）ＡＳＩＣ等の１つ以上の専用のハードウェア回路、或いは３）それらの組み合わせを含む回路（circuitry）として構成し得る。プロセッサは、ＣＰＵ、並びに、ＲＡＭ及びＲＯＭ等のメモリを含み、メモリは、処理をＣＰＵに実行させるように構成されたプログラムコードまたは指令を格納している。メモリすなわちコンピュータ可読媒体は、汎用または専用のコンピュータでアクセスできるあらゆる利用可能な媒体を含む。
【００４３】
トリガ機用制御部５５は、操作部５１の操作に応じてデータを生成する。このデータには、操作部５１による操作によって決定された指令が含まれる。
上記したように、操作者は、トリガ機５０を用いて、送信機２１の機種を設定（選択）することが可能である。操作者は、送信機２１の機種の設定を行う際、操作部５１を操作することで、送信機２１が取り付けられる車両１０の車種に対応した機種を選択する。なお、操作者は、トリガ機５０を用いて、機種を直接選択してもよいし、車種を選択することでトリガ機用制御部５５が機種を選択するようにしてもよい。例えば、記憶部５５ｂには、図３に示すように、車種毎に対応する機種が記憶されている。操作者は、操作部５１を操作することでメーカー→車名→年式と選択し、車種を選択することでトリガ機用制御部５５が車種に対応した機種を選択するようにしてもよい。例えば、図３に示す機種Ａを選択する場合、機種Ａを直接選択してもよいし、車種Ａ，Ｂ，Ｃを選択することで、機種Ａが選択されるようにしてもよい。トリガ機用制御部５５は、選択された機種に対応した指令を含むデータを生成する。
【００４４】
トリガ機用制御部５５は、生成したデータをトリガ機用送信回路５２に出力する。トリガ機用送信部としてのトリガ機用送信回路５２は、データに応じたトリガ信号を生成する。トリガ信号は、トリガ機用送信アンテナ５６から送信される。
【００４５】
トリガ機用受信回路５３は、トリガ機用受信アンテナ５７を介して送信機２１から返送された信号を受信する。トリガ機用受信回路５３は、送信機２１から返送されてきた信号を復調して、トリガ機用制御部５５に出力する。
【００４６】
次に、送信機２１の機種の設定の際に、トリガ機用制御部５５、及び送信機用制御部２５が行う処理について説明する。
図４に示すように、操作者は、トリガ機５０の操作部５１を操作することで、送信機２１の機種を選択する（ステップＳ１）。これにより、トリガ機５０（トリガ機用制御部５５）には、機種が入力される。
【００４７】
トリガ機用制御部５５は、機種が入力されると、第１トリガ信号をトリガ機用送信回路５２から送信させる（ステップＳ２）。第１トリガ信号は、送信機２１の状態を待受状態に遷移させる指令を含んだトリガ信号である。
【００４８】
送信機用制御部２５は、トリガ受信部３１によって第１トリガ信号が受信されると、送信機２１の状態を待受状態に遷移させる（ステップＳ３）。そして、送信機用制御部２５は、送信機２１の状態を待受状態に遷移させたことを通知する通知信号を、送信回路２６から送信させる。
【００４９】
トリガ機用制御部５５は、トリガ機用受信回路５３によって通知信号が受信されると、機種を指定する指令を含んだトリガ信号である第２トリガ信号をトリガ機用送信回路５２から送信させる（ステップＳ４）。なお、第２トリガ信号に含まれる指令により指定される機種は、ステップＳ１で選択された機種である。即ち、ステップＳ１で選択された機種は、第１トリガ信号の送信を経た後、第２トリガ信号によって指定される。
【００５０】
送信機用制御部２５は、トリガ受信部３１によって第２トリガ信号が受信されると、第２トリガ信号に含まれる指令に基づき、複数の機種の中から１つの機種を設定する（ステップＳ５）。これにより、送信機２１が複数の機種のうちいずれの機種として機能するかが決定する。
【００５１】
なお、送信機用制御部２５は、トリガ受信部３１によって第２トリガ信号が受信されない状態が所定時間以上継続すると、送信機２１の待受状態を解除する。待受状態が解除されると、送信機２１の状態は、禁止状態となる。
【００５２】
送信機用制御部２５は、送信機２１の機種の設定が行われると、機種の設定が完了したことを通知する信号である完了信号を、送信回路２６から送信させる。
トリガ機用制御部５５は、トリガ機用受信回路５３によって通知信号が受信されると、機種の設定が完了したことを、表示部５４に表示する（ステップＳ６）。これにより、送信機２１の機種の設定が完了となる。
【００５３】
上記したように、トリガ機５０を用いた送信機２１のモード設定方法では、まず、第１トリガ信号を送信することで、送信機２１の状態を待受状態に遷移させる。送信機２１の状態を待受状態に遷移させた後に第２トリガ信号をトリガ機５０から送信することで、送信機２１のモード（本実施形態では機種）が設定されることになる。
【００５４】
次に、送信機２１、トリガ機５０、送信機のモード設定システムＳ、及び送信機のモード設定方法の作用について説明する。
車輪１１に装着された送信機２１は、車両１０とともに移動する。このため、送信機２１の周辺環境は、車両１０とともに変化する。周辺環境によっては、トリガ信号の周波数帯と同一、又はトリガ信号の周波数帯に近似した周波数帯の信号が送信され続けている場合がある。例えば、駐車場や、高速道路などでは、車両を検知するために１２５ｋＨｚ帯付近の信号が出力されている場合がある。これらの信号は、送信機２１にとっては、外部ノイズとなる。
【００５５】
外部ノイズが偶発的にトリガ信号の指令と一致すると、送信機用制御部２５は外部ノイズをトリガ信号と誤認し、誤認した指令に従った制御を行う。
仮に、外部ノイズによって機種が設定される（切り替わる）場合、まず、外部ノイズによって送信機２１の状態が待受状態となり、その後、外部ノイズによって機種の設定が行われることになる。偶発的に送信機用制御部２５が外部ノイズをトリガ信号だと誤認した場合であっても、１回の誤認であれば送信機２１の状態が待受状態に遷移するだけであり、機種は設定されない。
【００５６】
したがって、上記実施形態によれば、以下の効果を得ることができる。
（１）トリガ機５０を用いて送信機２１の機種を設定する場合、待受状態への遷移と機種の指定との２段階の工程を経る必要がある。送信機用制御部２５が外部ノイズをトリガ信号だと誤認した場合であっても、１回の誤認であれば、送信機２１の機種は設定されない。したがって、送信機２１が外部ノイズにより意図しない機種に設定されることが抑制される。
【００５７】
（２）仮に、送信機２１が意図しない機種に設定されると、送信機２１は、受信機４０にデータ信号を受信させることができない。よって、送信機２１が意図しない機種に設定されなくなることで、送信機２１から送信されるデータ信号を受信機４０に受信させることができる。
【００５８】
（３）トリガ機５０は、第１トリガ信号と第２トリガ信号とを送信可能に構成されている。このため、送信機２１の機種（モード）を設定することができる。仮に、送信機２１の機種を設定できるトリガ機がない場合、送信機２１を使用することができない。よって、送信機２１に対応したトリガ機５０を用いて送信機２１の機種を設定することができるため、車輪１１に装着される送信機として、送信機２１を外部ノイズにより意図しない機種に設定されにくくすることができる。
【００５９】
（４）操作部５１の操作により機種が入力されると、トリガ機５０から第１トリガ信号と第２トリガ信号とが順番に送られる。このため、トリガ機５０を用いて送信機２１の機種を設定するために操作者が行う操作は、機種の入力のみである。よって、第１トリガ信号の送信と第２トリガ信号の送信とを別々の操作によって行う場合に比べて、操作者の手間が軽減される。
【００６０】
（５）送信機のモード設定システムＳは、トリガ機５０を用いて送信機２１の機種を設定するように構成されている。このため、車輪１１に装着される送信機として、送信機２１を外部ノイズにより意図しない機種に設定されにくくすることができる。
【００６１】
（６）トリガ機５０を用いた送信機２１のモード設定方法では、２段階の工程を経て機種が設定される。したがって、車輪１１に装着される送信機として、待受状態への遷移と機種の指定との２段階の工程を経て機種が設定される送信機２１を用いることができる。よって、この送信機２１を用いることで、送信機２１を外部ノイズにより意図しないモードに設定されにくくすることができる。
【００６２】
なお、実施形態は、以下のように変更してもよい。
・データ信号の送信態様に関するモードなど、機種以外のモードを設定する際に２段階の工程を経てモードが設定されてもよい。例えば、送信機２１の状態が待受状態のときに、送信態様に関するモードが指定された場合にのみ、送信機２１のモードが設定（切り替え）されてもよい。なお、この場合、送信機２１の機種を設定は、待受状態への遷移と機種の指定とを経て行われてもよい。また、待受状態への遷移をさせることなく、送信機２１の機種を設定してもよい。即ち、送信機２１のモードのうち、モードの設定を行う際に送信機２１の状態を待受状態に遷移させる必要があるモードは、適宜選択することができる。
【００６３】
・トリガ機５０は、第１トリガ信号と第２トリガ信号とを送信可能であればよく、第１トリガ信号と第２トリガ信号とが別々の操作によって送信されるように構成されてもよい。この場合、操作者は、トリガ機５０の操作部５１を操作することで、第１トリガ信号をトリガ機５０から送信する。その後、操作者は、トリガ機５０の操作部５１を操作することで、第２トリガ信号をトリガ機５０から送信する。
【００６４】
・機種は、１つの車種に対応しているものでもよい。
・トリガ信号の周波数帯は、適宜変更してもよい。
・トリガ機５０を用いて選択した機種の機種情報（プログラム）を記憶部２５ｂに書き込むことで、送信機２１が複数の機種の中から１つの機種として機能するようにしてもよい。即ち、送信機２１は、記憶部２５ｂに記憶された複数の機種から機種を選択するものであってもよいし、トリガ機５０で選択した機種として送信機２１が機能するプログラムを記憶部２５ｂに書き込むものであってもよい。
【００６５】
・送信機２１は、複数の機種の中から機種を選択できるものでなくてもよい。即ち、予め定められた単一の機種として機能する送信機であってもよい。
・送信機２１の状態が待受状態に遷移したことを通知する通知信号は、送信されなくてもよい。この場合、トリガ機用制御部５５は、第１トリガ信号を送信した後、所定時間後に第２トリガ信号を送信する。なお、所定時間とは、例えば、第１トリガ信号を送信してから送信機２１の状態が待受状態に遷移するまでに要する時間である。
【００６６】
・車両は、二輪車や、５つ以上の車輪１１を備える車両であってもよい。
【符号の説明】
【００６７】
１０…車両、１１…車輪、１３…タイヤ、２１…送信機、２２…圧力センサ、２５…送信機用制御部（制御部）、２６…送信回路（送信部）、３１…トリガ受信部、４０…受信機、５０…トリガ機、５２…トリガ機用送信回路（トリガ機用送信部）、５５…トリガ機用制御部。
【図１】
2019106828.tif 000003
【図２】
2019106828.tif 000004
【図３】
2019106828.tif 000005
【図４】
2019106828.tif 000006
【国際調査報告】
2019106828.tif 000007
2019106828.tif 000008
2019106828.tif 000009
2019106828.tif 000010